【手続補正書】
【提出日】平成19年4月25日(2007.4.25)
【手続補正１】
【補正対象書類名】明細書
【補正対象項目名】特許請求の範囲
【補正方法】変更
【補正の内容】
【特許請求の範囲】
【請求項１】
神経幹細胞又は神経前駆細胞においてドーパミン作動性ニューロンの運命を誘導する方法であって、
該細胞内で基底レベルを超えるNurr1を発現させること、及び
該細胞と、腹側中脳のタイプ１アストロサイトから得られる１種以上の因子とを接触させ、それにより、ドーパミン作動性ニューロンを作製すること、
を含む前記方法。
【請求項２】
前記細胞とFGF8とを接触させることを含む、請求項１に記載の方法。
【請求項３】
Nurr1を用いて神経幹細胞又は神経前駆細胞を形質転換することを含む、請求項１に記載の方法。
【請求項４】
神経幹細胞又は神経前駆細胞を腹側中脳のタイプ1アストロサイトと共培養することを含む、請求項１〜３のいずれか１項に記載の方法。
【請求項５】
タイプ1アストロサイトが不死化されたものであるか、又はアストロサイト細胞系のものである、請求項４に記載の方法。
【請求項６】
前記細胞が、前記1種以上の因子に接触するときに有糸分裂する、請求項１〜５のいずれか１項に記載の方法。
【請求項７】
前記細胞を、塩基性線維芽細胞増殖因子(bFGF)、上皮増殖因子(EGF)、レチノイドX受容体(RXR)の活性化因子、及び9-シスレチノールからなる群より選択される１種以上の薬剤にさらに接触させる、請求項１〜６のいずれか１項に記載の方法。
【請求項８】
前記細胞を、FGFファミリーの増殖因子のメンバーにさらに接触させる、請求項１〜７のいずれか１項に記載の方法。
【請求項９】
前記細胞を、bFGF又はEGF、及びSR11237に接触させる、請求項８に記載の方法。
【請求項１０】
神経幹細胞又は神経前駆細胞を、bFGF及び／又はEGFで予備処理した後、該細胞と、腹側中脳のタイプ１アストロサイトから得られる１種以上の因子とを接触させる、請求項１〜９のいずれか１項に記載の方法。
【請求項１１】
前記方法によって作製されたドーパミン作動性ニューロンを、１種以上の追加成分を含む組成物中に製剤化することをさらに含む、請求項１〜１０のいずれか１項に記載の方法。
【請求項１２】
前記組成物が製薬上許容し得る賦形剤を含む、請求項１１に記載の方法。
【請求項１３】
個体の治療のための医薬の製造において、前記方法に従って作製されたドーパミン作動性ニューロンを使用することをさらに含む、請求項１〜１０のいずれか１項に記載の方法。
【請求項１４】
前記医薬が、前記個体の脳に埋め込むためのものである、請求項１３に記載の方法。
【請求項１５】
前記個体がパーキンソン病を有する、請求項１４に記載の方法。
【請求項１６】
請求項１〜１０のいずれか１項に記載の方法に従って作製されたドーパミン作動性ニューロン。
【請求項１７】
請求項１６に記載のドーパミン作動性ニューロンを含む組成物。
【請求項１８】
１種以上の追加成分を含む、請求項１７に記載の組成物。
【請求項１９】
神経変性疾患の治療に使用するための薬剤のスクリーニング方法における請求項１６に記載のドーパミン作動性ニューロンの使用。
【請求項２０】
以下の工程：
(i) ドーパミン作動性ニューロンを、該ドーパミン作動性ニューロンにとっての
毒素で処理すること、
(ii) 該毒素から該ドーパミン作動性ニューロンを分離すること、
(iii) 処理されたドーパミン作動性ニューロンと、１種以上の試験薬剤とを接触させること、
(iv) 該毒素から回復する該ドーパミン作動性ニューロンの能力を判定すること、
(v) 該毒素から回復する該ドーパミン作動性ニューロンの能力と、該試験薬剤と
の接触の非存在下で該毒素から回復するドーパミン作動性ニューロンの能力とを比較すること、
をさらに含む、請求項１〜１０のいずれか１項に記載の方法。
【請求項２１】
以下の工程：
(i) １種以上の試験薬剤の存在下で、ドーパミン作動性ニューロンにとっての毒素で該ドーパミン作動性ニューロンを処理すること、
(ii) 該毒素に耐える該ドーパミン作動性ニューロンの能力を判定すること、
(iii) 該毒素に耐える該ドーパミン作動性ニューロンの能力と、該試験薬剤との接触の非存在下で該毒素に耐えるドーパミン作動性ニューロンの能力とを比較すること、
をさらに含む、請求項１〜１０のいずれか１項に記載の方法。
【請求項２２】
(iv) 前記毒素から回復するか、又はそれに耐えるドーパミン作動性ニューロンの能力を改善する前記試験薬剤を、１種以上の追加成分を含む組成物中に製剤化すること、
をさらに含む、請求項２０又は２１に記載の方法。
【請求項２３】
前記組成物が製薬上許容し得る賦形剤を含む、請求項２２に記載の方法。
【請求項２４】
腹側中脳のタイプ１アストロサイトから得られ、かつ基底レベルを超えるNurr-1を発現する神経幹細胞又は神経前駆細胞においてドーパミン作動性の運命を誘導する１種以上の因子の１種以上の受容体をスクリーニングする方法であって、神経幹細胞又は神経前駆細胞内で基底レベルを超えるNurr-1を発現する又は発現しない該神経幹細胞又は神経前駆細胞を比較して、該受容体を同定することを含む、前記方法。
【請求項２５】
前記受容体を単離し、及び／又は精製し、及び／又はクローニングすることをさらに含む、請求項２４に記載の方法。
【請求項２６】
腹側中脳のタイプ１アストロサイトから得られる前記因子のスクリーニング方法において、前記受容体を使用することをさらに含む、請求項２５に記載の方法。
【請求項２７】
基底レベルを超えるNurr1を発現する神経幹細胞又は神経前駆細胞においてドーパミン作動性の運命を、単独又は組合せで、誘導する因子をスクリーニングする方法であって、
(a) タイプ１アストロサイトの分子と、基底レベルを超えるNurr1を発現する神経幹細胞又は神経前駆細胞とを接触させること、ただし、該接触は該タイプ１アストロサイトの分子と神経幹細胞又は神経前駆細胞との間の相互作用をもたらすこと、及び
(b) 該タイプ１アストロサイトの分子と神経幹細胞又は神経前駆細胞との間の相互作用を測定すること、
を含む前記方法。
【請求項２８】
腹側中脳のタイプ１アストロサイトの分子と、基底レベルを超えるNurr1を発現する神経幹細胞又は神経前駆細胞においてドーパミン作動性の運命を誘導することができない神経系細胞の分子とを比較することを含む、請求項２７に記載の方法。
【請求項２９】
基底レベルを超えるNurr1を発現する神経幹細胞又は神経前駆細胞においてドーパミン作動性の運命を、単独又は組合せで、誘導する因子をスクリーニングする方法であって、タイプ１アストロサイトの分子の存在下で、基底レベルを超えるNurr1を発現する神経幹細胞又は神経前駆細胞を培養し、ドーパミン作動性の表現型への分化について該細胞を分析することを含む、前記方法。
【請求項３０】
腹側中脳のタイプ１アストロサイトと、基底レベルを超えるNurr1を発現する神経幹細胞又は神経前駆細胞においてドーパミン作動性の運命を誘導することができない神経系細胞とを比較することを含む、請求項２９に記載の方法。
【請求項３１】
差示的発現スクリーニングを含む、請求項２８に記載の方法。
【請求項３２】
基底レベルを超えるNurr1を発現する神経幹細胞又は神経前駆細胞においてドーパミン作動性の運命を誘導することができる因子を、単離された、及び／又は精製された形態で提供する、請求項２６〜３１のいずれか１項に記載の方法。
【請求項３３】
基底レベルを超えるNurr1を発現する神経幹細胞又は神経前駆細胞においてドーパミン作動性の運命を誘導することができる因子を、１種以上の追加成分を含む組成物中に製剤化することをさらに含む、請求項２６〜３２のいずれか１項に記載の方法。
【請求項３４】
前記組成物が基底レベルを超えるNurr1を発現する神経幹細胞又は神経前駆細胞を含む、請求項３３に記載の方法。
【請求項３５】
前記組成物が製薬上許容し得る賦形剤を含む、請求項３３又は３４に記載の方法。
【請求項３６】
個体の治療のための医薬の製造において、基底レベルを超えるNurr1を発現する神経幹細胞又は神経前駆細胞においてドーパミン作動性の運命を誘導することができる因子を使用することをさらに含む、請求項２６〜３２のいずれか１項に記載の方法。
【請求項３７】
前記医薬が基底レベルを超えるNurr1を発現する神経幹細胞又は神経前駆細胞を含む、請求項３６に記載の方法。
【請求項３８】
前記医薬が個体の脳に埋め込むためのものである、請求項３６又は３７に記載の方法。
【請求項３９】
前記個体がパーキンソン病を有する、請求項３８に記載の方法。
【請求項４０】
基底レベルを超えるNurr1を発現する神経幹細胞又は神経前駆細胞においてドーパミン作動性の運命を誘導する、腹側中脳のタイプ１アストロサイトの能力をモジュレートする物質、又はそのようなアストロサイトの１種以上の分子をスクリーニングする方法であって、
(i)１種以上の試験物質の存在下で、タイプ１アストロサイトと、基底レベルを超えるNurr1を発現する神経幹細胞又は神経前駆細胞とを共培養すること、又は
(ii) 基底レベルを超えるNurr1を発現する神経幹細胞又は神経前駆細胞と、そのような細胞においてドーパミン作動性の表現型を誘導することができるタイプ１アストロサイトの１種以上の分子とを接触させること、ただし、該接触は１種以上の試験物質の存在下で行なうこと、及び
(iii) ドーパミン作動性の運命を獲得する幹細胞又は前駆細胞の割合を分析すること、
(iv) ドーパミン作動性の運命を獲得する幹細胞又は前駆細胞の割合と、試験物質の非存在下に、匹敵する反応培地及び条件下でドーパミン作動性の運命を獲得する幹細胞及び前駆細胞の数とを比較すること、
を含む前記方法。
【請求項４１】
基底レベルを超えるNurr1を発現する神経幹細胞又は神経前駆細胞においてドーパミン作動性の運命を誘導する、腹側中脳のタイプ１アストロサイトの能力をモジュレートする物質、又はそのようなアストロサイトの１種以上の分子を、単離された、及び／又は精製された形態で提供する、請求項４０に記載の方法。
【請求項４２】
基底レベルを超えるNurr1を発現する神経幹細胞又は神経前駆細胞においてドーパミン作動性の運命を誘導する、腹側中脳のタイプ１アストロサイトの能力をモジュレートする物質、又はその１種以上の分子を、１種以上の追加成分を含む組成物中に製剤化することをさらに含む、請求項４０又は４１に記載の方法。
【請求項４３】
前記組成物が製薬上許容し得る賦形剤を含む、請求項４２に記載の方法。
【請求項４４】
個体の治療のための医薬の製造において、基底レベルを超えるNurr1を発現する神経幹細胞又は神経前駆細胞においてドーパミン作動性の運命を誘導する、腹側中脳のタイプ１アストロサイトの能力をモジュレートする物質、又はそのようなアストロサイトの１種以上の分子を使用することをさらに含む、請求項４０又は４１に記載の方法。
【請求項４５】
前記医薬が前記個体の脳に埋め込むためのものである、請求項４４に記載の方法。
【請求項４６】
前記個体がパーキンソン病を有する、請求項４５に記載の方法。